(57)【特許請求の範囲】
【請求項１】
被写体を撮影して画像を生成する撮影処理を実行する撮影手段と、
前記撮影処理により得られる撮影画像のプレビューを表示部に表示する表示手段と、
前記画像を配置するための複数のレイアウト枠に関する情報を含むテンプレートデータを記憶する記憶手段と、
前記撮影画像と前記レイアウト枠とを関連付けて、前記テンプレートデータを更新する更新手段と、
前記テンプレートデータに存在する全てのレイアウト枠に前記撮影画像が配置済み、前記テンプレートデータに含まれる所定の見開きページに存在するレイアウト枠に前記撮影画像が配置済みおよび前記テンプレートデータに含まれる所定の単一ページに存在するレイアウト枠に前記撮影画像が配置済みのうち少なくとも１つを所定の条件として設定する条件設定手段と、
前記テンプレートデータに含まれるレイアウト枠のうち、前記設定された所定の条件を満たす前記レイアウト枠が前記撮影画像と関連付けられたか否かを判定する判定手段と、
前記判定結果に応じて、前記表示部に表示された前記撮影画像のプレビューを、撮影画像を前記レイアウト枠に配置したアルバム画像のプレビューへ選択的に変更する変更手段を備えたことを特徴とする撮影装置。
【請求項２】
複数の撮影モードのうちいずれか１つを設定する撮影モード設定手段と、
所定の撮影モードが設定されているとき、前記変更手段は、前記判定結果に応じた前記アルバム画像のプレビューへの変更を実行することを特徴とする請求項１に記載の撮影装置。
【請求項３】
前記撮影画像を前記レイアウト枠に配置するか否かを選択する選択手段をさらに備え、
前記選択手段により前記撮影画像を前記レイアウト枠に配置することが選択されれば、前記変更手段は、前記判定結果に応じた前記アルバム画像のプレビューへの変更を実行することを特徴とする請求項１または２に記載の撮影装置。
【請求項４】
前記表示手段は、前記撮影画像のサイズまたは被写体に基づいて前記レイアウト枠に配置された前記撮影画像を表示することを特徴とする請求項１乃至３のいずれか１項に記載の撮影装置。
【請求項５】
被写体を撮影して画像を生成する撮影処理を実行するステップと、
前記撮影処理により得られる撮影画像のプレビューを表示部に表示するステップと、
前記画像を配置するための複数のレイアウト枠に関する情報を含むテンプレートデータを記憶するステップと、
前記撮影画像と前記レイアウト枠とを関連付けて、前記テンプレートデータを更新するステップと、
前記テンプレートデータに存在する全てのレイアウト枠に前記撮影画像が配置済み、前記テンプレートデータに含まれる所定の見開きページに存在するレイアウト枠に前記撮影画像が配置済みおよび前記テンプレートデータに含まれる所定の単一ページに存在するレイアウト枠に前記撮影画像が配置済みのうち少なくとも１つを所定の条件として設定するステップと、
前記テンプレートデータに含まれるレイアウト枠のうち、前記設定された所定の条件を満たす前記レイアウト枠が前記撮影画像と関連付けられたか否かを判定するステップと、
前記判定結果に応じて、前記表示部に表示された前記撮影画像のプレビューを、前記撮影画像を前記レイアウト枠に配置したアルバム画像のプレビューへ選択的に変更するステップとを備えたことを特徴とする撮影装置の制御方法。
【請求項６】
コンピュータに、
被写体を撮影して画像を生成する撮影処理を実行するステップと、
前記撮影処理により得られる撮影画像のプレビューを表示部に表示するステップと、
前記画像を配置するための複数のレイアウト枠に関する情報を含むテンプレートデータを記憶するステップと、
前記撮影画像と前記レイアウト枠とを関連付けて、前記テンプレートデータを更新するステップと、
前記テンプレートデータに存在する全てのレイアウト枠に前記撮影画像が配置済み、前記テンプレートデータに含まれる所定の見開きページに存在するレイアウト枠に前記撮影画像が配置済みおよび前記テンプレートデータに含まれる所定の単一ページに存在するレイアウト枠に前記撮影画像が配置済みのうち少なくとも１つを所定の条件として設定するステップと、
前記テンプレートデータに含まれるレイアウト枠のうち、前記設定された所定の条件を満たす前記レイアウト枠が前記撮影画像と関連付けられたか否かを判定するステップと、
前記判定結果に応じて、前記表示部に表示された前記撮影画像のプレビューを、撮影画像を前記レイアウト枠に配置したアルバム画像のプレビューへ選択的に変更するステップとを実行させることを特徴とするプログラム。
【発明の詳細な説明】
【技術分野】
【０００１】
本発明は、被写体を撮影しながら、撮影画像を用いて電子アルバムを編集する撮影装置およびその制御方法およびプログラムに関する。
【背景技術】
【０００２】
従来、撮影画像をアルバム登録する機能を有するデジタルカメラがある。そして、デジタルカメラは表示部における表示画像を切り替える切替ボタンを備え、撮影モードにおけるライブビュー画像と、再生モードにおける再生画像と、アルバム再生モードにおけるアルバム画像とを切り替えて表示する（特許文献１参照）。
【先行技術文献】
【特許文献】
【０００３】
【特許文献１】特開２００４−２７４５００号公報
【発明の概要】
【発明が解決しようとする課題】
【０００４】
従来、撮影者は切替ボタンを操作して、ライブビュー画像と再生画像とアルバム画像のうち所望の画像を確認しなければならず、操作が煩雑であり、手間がかかっていた。
【０００５】
そこで、本発明は、撮影者の手間をかけることなく、撮影者にとって好適なタイミングでアルバム画像を表示することを目的とする。
【課題を解決するための手段】
【０００６】
上記課題を解決するために、本発明は、被写体を撮影して画像を生成する撮影処理を実行する撮影手段と、前記撮影処理により得られる撮影画像のプレビューを表示部に表示する表示手段と、前記画像を配置するための複数のレイアウト枠に関する情報を含むテンプレートデータを記憶する記憶手段と、前記撮影画像と前記レイアウト枠とを関連付けて、前記テンプレートデータを更新する更新手段と、前記テンプレートデータに存在する全てのレイアウト枠に前記撮影画像が配置済み、前記テンプレートデータに含まれる所定の見開きページに存在するレイアウト枠に前記撮影画像が配置済みおよび前記テンプレートデータに含まれる所定の単一ページに存在するレイアウト枠に前記撮影画像が配置済みのうち少なくとも１つを所定の条件として設定する条件設定手段と、前記テンプレートデータに含まれるレイアウト枠のうち、前記設定された所定の条件を満たす前記レイアウト枠が前記撮影画像と関連付けられたか否かを判定する判定手段と、前記判定結果に応じて、前記表示部に表示された前記撮影画像のプレビューを、撮影画像を前記レイアウト枠に配置したアルバム画像のプレビューへ選択的に変更する変更手段を備えたことを特徴とする撮影装置を提供する。
【発明の効果】
【０００７】
本発明によれば、撮影者の手間をかけることなく、撮影者にとって好適なタイミングでアルバム画像を表示することができるという効果が得られる。
【図面の簡単な説明】
【０００８】
【図１】本発明の一実施例に係る撮影装置の構成を示すブロック図である。
【図２】本発明の一実施例に係る撮影装置の動作の手順を示すフローチャート図である。
【図３】本発明の一実施例に係る撮影装置の動作の手順を示すフローチャート図である。
【図４】本発明の一実施例に係る撮影装置の表示部に表示されるプレビュー画面を示す図である。
【発明を実施するための形態】
【０００９】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【００１０】
（第１の実施例）
本実施例における撮影装置１００の内部構成を図１のブロック図を参照して説明する。制御部１０５は例えばＣＰＵ（Ｃｅｎｔｒａｌ  Ｐｒｏｃｅｓｓｉｎｇ  Ｕｎｉｔ）であり、記憶部１０４に格納されたプログラムを実行して各部を制御することにより、撮影装置１００の動作全体を制御する。制御部１０５はその機能の一部として、操作部１０１からの通知の解析、表示部１０２の制御、記憶部１０４に記憶された表示用画像データの管理、撮影部１０３による撮影処理の制御を行う。記憶部１０４は、制御部１０５が使用するプログラムデータの格納、撮影画像データや表示用画像データの保存、処理動作時の一時データの保存等に使用される。撮影部１０３は、レンズ、ＣＣＤ、ＡＤ／ＤＡコンバーター、画像処理部等を含み、制御部１０５の制御により、撮影画像データを作成する。
【００１１】
本実施例の撮影装置１００における撮影処理およびアルバム作成処理の動作の手順を図２のフローチャートを参照して説明する。なお、以下の動作は撮影装置１００の制御部１０５が撮影装置１００の各部を制御することにより実現される。
【００１２】
まず、撮影装置１００に電源が投入されると、制御部１０５は本動作を開始し、現在設定されている撮影モードを識別し、アルバム作成モードであるか否か判定する（Ｓ２０１）。ステップＳ２０１の判定の結果、現在の撮影モードがアルバム作成モードでない場合は、通常の撮影を行う通常撮影モードであると判定し、通常の撮影処理を実行する（Ｓ２０２）。通常撮影処理では、撮影者がシャッターボタンを押下することに応答して、被写体を撮影し、撮影画像を生成し、撮影画像のプレビューを表示部１０２に表示する。また、撮影モードの変更は、操作部１０１のキー操作によって、いつでも変更が可能である。
【００１３】
一方、ステップＳ２０１の判定の結果、現在の撮影モードがアルバム撮影モードである場合は、制御部１０５は電子アルバムのテンプレートデータを記憶部１０４から読み出す。そして、読み出されたテンプレートデータのリストを表示部１０２に表示し、撮影者に所望のテンプレートデータを選択させる。制御部１０５は操作部１０１から操作者が選択したテンプレートデータの通知を受ける（Ｓ２０３）。ここで、新規のテンプレートデータを作成し、選択するようにしてもよい。テンプレートデータは、電子アルバムを構成する複数のページに関する情報、各ページでのレイアウト枠の場所やサイズ、各レイアウト枠に配置される撮影画像のファイルパスなどのレイアウト枠に関する情報を格納する。
【００１４】
次に、制御部１０５はアルバム画像の自動プレビュータイミングの設定を行うための画面を表示部１０２に表示し、撮影者に設定させる。本実施例の自動プレビュータイミングには、アルバム完成時、単一ページ完成時、見開きページ完成時、自動プレビューＯＦＦの４種類がある。撮影者が操作部１０１を用いて、これらのタイミングの中から選択して設定すると、制御部は操作部１０１からその旨が通知される（Ｓ２０４）。ここで、アルバム完成時が設定されると、ステップＳ２０３で選択されたテンプレートデータに存在する全レイアウト枠に撮影画像が配置された時に、図４（ｂ）のようなプレビュー画面を表示部１０２に表示する。図４（ｂ）では、テンプレートデータに基づき、撮影画像をレイアウト枠に配置した結果が、先頭の表紙ページから順にページ毎にプレビュー画面に表示される。単一ページ完成時が設定されると、各ページに存在する全てのレイアウト枠に対して撮影画像が配置された時に、図４（ｃ）のような、該当ページのアルバム画像のプレビュー画面を表示部１０２に表示する。例えば、テンプレートデータの５ページ目に３つのレイアウト枠があった場合、３枚の画像を撮影し、各レイアウト枠に配置すると、５ページ目のアルバム画像のプレビュー画面を表示する。見開きページ完成時が設定されると、各見開きページに存在する全てのレイアウト枠に対して撮影画像が配置された時に、図４（ｄ）のような該当見開きページのアルバム画像のプレビュー画面を表示部１０２に表示する。自動プレビューＯＦＦが設定されると、自動でアルバム画像のプレビュー画面を表示せず、撮影者の操作に応答して表示する。
【００１５】
次に、制御部１０５は、操作部１０１のシャッター押下を検知すると、撮影部１０３により撮影処理を実行し、撮影画像を取得し、記憶部１０４に格納し（Ｓ２０５）、図４（ａ）のような撮影画像のプレビュー画面を表示部１０２に表示する（Ｓ２０６）。また、撮影画像のプレビュー画面には、撮影画像を電子アルバムのレイアウト枠に配置するか否かのダイアログも表示し、撮影者に選択させる。撮影者はプレビュー画面に表示された撮影画像を確認し、撮影に失敗するなどして電子アルバムに配置するには不適切だと判断した場合は、操作部１０１を用いて、「配置しないボタン」を押下する。また、撮影者はプレビュー画面に表示された撮影画像を確認し、撮影に成功し、電子アルバムに配置するのに適切だと判断した場合は、操作部１０１を用いて、「配置するボタン」を押下する。制御部１０５は操作部１０１からのボタン押下の通知を識別し（Ｓ２０７）、「配置しないボタン」が押下されると、Ｓ２０５に戻る。「配置するボタン」が押下されると、プレビュー画面に表示されていた撮影画像のファイルパスを、電子アルバムのレイアウト枠に関連付けるようにテンプレートデータを更新する（ステップＳ２０８）。なお、本実施例では、撮影画像をテンプレートデータ内の先頭のレイアウト枠から順番に配置し、関連付けて保存していくものとする。しかし、これに限らず、撮影者が撮影する前にレイアウト枠を指定し、撮影画像を配置するようにしてもよいし、撮影画像のサイズや被写体等に基づいてレイアウト枠を選択し、配置するようにしてもよい。
【００１６】
次に、制御部１０５はアルバム画像のプレビュー画面を表示するタイミングであるかどうかを判断する（Ｓ２０９）。ステップＳ２０９の処理の詳細は後述する。
【００１７】
制御部１０５は、アルバム画像のプレビュー画面を表示するタイミングであるかどうかを判定し（Ｓ２１０）、そのタイミングでなければ、テンプレートデータの全てのレイアウト枠に撮影画像が配置され、電子アルバムが完成したかどうかを判断する（Ｓ２１３）。判断の結果、まだ電子アルバムが完成していなければ、ステップＳ２０５に戻り、電子アルバムが完成していれば、モードを選択するための画面を表示し（Ｓ２１４）、操作者に選択させ、ステップＳ２０１に戻る。
【００１８】
一方、ステップＳ２１０の判断の結果、アルバム画像のプレビュー画面を表示すべきタイミングであれば、テンプレートデータを記憶部１０４から読み出し、アルバム画像のプレビュー画面を表示する（ステップＳ２１１）。ここで、アルバム画像のプレビュー画面は自動プレビュータイミングの設定内容に応じて、異なる。なお、本実施例では、自動プレビューのタイミングによって、プレビュー画面の表示内容を変えているが、これに限らない。例えば、どのタイミングであってもプレビュー画面の表示内容は同じであってもよく、常に図４（ｄ）のような見開きページ単位で表示するようにしてもよい。
【００１９】
次に、撮影者は操作部１０１を用いることによってプレビュー画面に表示されたアルバム画像の編集を指示すると、制御部１０５は操作部１０１からの指示の通知に応答してレイアウト枠に配置された撮影画像を編集する（ステップＳ２１２）。編集内容は例えば、画像のレイアウト枠からの削除や、画像の他のレイアウト枠への移動である。なお、画像が削除されたレイアウト枠は未配置の状態にしてもよいし、後のレイアウト枠に撮影画像を順に前に詰めて再配置するようにしてもよい。制御部１０５は操作部１０１から編集終了操作の通知を受けると、制御部１０５はＳ２１３の処理を実行する。
編集終了操作には、例えば編集終了メニューの選択や、シャッターボタンの半押しがある。
【００２０】
本動作は撮影装置１００の電源がＯＦＦになると終了する。
【００２１】
次に、ステップＳ２０９における撮影装置１００の動作の手順を図３を参照して説明する。まず、制御部１０５は自動プレビューの設定がＯＦＦかどうかを判定し（Ｓ３０１）、ＯＦＦの場合は本動作を終了する。自動プレビューの設定がＯＦＦでない場合は、制御部１０５は自動プレビュータイミングの設定を識別する（Ｓ３０３）。そして、以下では、各自動プレビューの設定と対応する所定の条件を満たすレイアウト枠に撮影画像が配置済みであるかどうかを判定し、プレビューすべきタイミングであるかどうかを決定する。
【００２２】
ステップＳ３０３の識別の結果、単一ページ完成時であれば、テンプレートデータを参照して、最後の撮影画像が配置されたレイアウト枠を含むページの全てのレイアウト枠に撮影画像が配置されているか否かを判定する（Ｓ３０５）。ステップＳ３０４の判定の結果、該当するページの全てのレイアウト枠に撮影画像が配置されていれば、プレビューすべきタイミングであると決定する（Ｓ３０６）。ステップＳ３０４の判定の結果、該当するページの全てのレイアウト枠に撮影画像が配置されていなければ、プレビューすべきタイミングでないと決定する（Ｓ３０７）。
【００２３】
ステップＳ３０３の識別の結果、見開きページ完成時であれば、テンプレートデータを参照して、最後の撮影画像が配置されたレイアウト枠を含む見開きページの全てのレイアウト枠に撮影画像が配置されているか否かを判定する（Ｓ３０９）。ステップＳ３０９の判定の結果、該当する見開きページの全てのレイアウト枠に撮影画像が配置されていれば、プレビューすべきタイミングであると決定する（Ｓ３１０）。ステップＳ３０９の判定の結果、該当するページの全てのレイアウト枠に撮影画像が配置されていなければ、プレビューすべきタイミングでないと決定する（Ｓ３１１）。
【００２４】
ステップＳ３０３の識別の結果、アルバム完成時であれば、テンプレートデータを参照して、電子アルバムの全てのレイアウト枠に撮影画像が配置されているか否かを判定する（Ｓ３１３）。ステップＳ３１３の判定の結果、電子アルバムの全てのレイアウト枠に撮影画像が配置されていれば、プレビューすべきタイミングであると決定する（Ｓ３１４）。ステップＳ３１３の判定の結果、電子アルバムの全てのレイアウト枠に撮影画像が配置されていなければ、プレビューすべきタイミングでないと決定する（Ｓ３１１）。
【００２５】
本実施例によれば、事前に撮影者が設定したタイミングにしたがって、撮影画像が配置された電子アルバムのプレビュー画面を自動的に表示するので、撮影者は画像を撮影する度に電子アルバムのプレビュー画面の表示または非表示をする必要がなくなる。したがって、撮影者の手間をかけることなく、撮影者にとって好適なタイミングでアルバム画像を表示することができる。
【００２６】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005538836.tif 000002
【図２】
0005538836.tif 000003
【図３】
0005538836.tif 000004
【図４】
0005538836.tif 000005